(57)【要約】【課題】自己リフレッシュによる画像の表示期間中に、画像メモリに記憶された記憶データの一部を更新する場合であっても、リフレッシュレートを減少させることができる画像処理装置を提供する。【解決手段】画像処理装置では、ソース側デバイスとシンク側デバイスとの間の動作タイミングを合わせるために使用する制御データが一定期間更新されていないことを検出した場合に、制御データ処理回路が、制御データの更新が停止されたことを表す制御データ停止信号を出力する。制御データ停止信号が、制御データの更新が停止されたことを表す場合に、間引き指示信号生成回路が、画像メモリから読み出された記憶データを間引きすることを指示する間引き指示信号を生成する。間引き指示信号が間引きすることを指示する場合、フレーム間引きコントローラが、自己リフレッシュによる画像の表示期間中に画像メモリから読み出された記憶データを間引いて出力する。【選択図】図１
2018173485.tif 000002
【特許請求の範囲】
【請求項１】
自己リフレッシュによる画像の表示を開始する際に、１フレーム分の画像データを記憶データとして画像メモリに記憶しておき、前記自己リフレッシュによる画像の表示期間中に、前記記憶データの一部を部分データに更新し、かつ、前記画像メモリから読み出された１フレーム分の記憶データを用いて画像の表示を自己リフレッシュする画像処理装置であって、
前記１フレーム分の画像データを前記画像メモリに順次書き込み、前記記憶データの一部を前記部分データに書き換え、かつ、前記画像メモリから前記１フレーム分の記憶データを順次読み出す制御を行うメモリコントローラと、
ソース側デバイスとシンク側デバイスとの間の動作タイミングを合わせるために使用する制御データを、前記制御データが前記ソース側デバイスから前記シンク側デバイスへ定期的に送信されてくる毎に更新して保持する制御データ保持回路と、
前記制御データ保持回路に保持された制御データが一定期間更新されていないことを検出した場合に、前記制御データの更新が停止されたことを表す制御データ停止信号を出力する制御データ処理回路と、
前記制御データ停止信号が、前記制御データの更新が停止されたことを表す場合に、前記画像メモリから読み出された記憶データをフレーム単位で間引きすることを指示する間引き指示信号を生成する間引き指示信号生成回路と、
前記間引き指示信号が前記間引きすることを指示する場合、前記自己リフレッシュによる画像の表示期間中に前記画像メモリから読み出された記憶データをフレーム単位で間引いて間引き画像データとして出力するフレーム間引きコントローラとを備える画像処理装置。
【請求項２】
さらに、前記自己リフレッシュによる画像の表示期間を判別する表示期間判別信号が前記自己リフレッシュによる画像の表示期間ではないことを表す場合に、前記間引きの終了を指示する切り換え開始信号を出力するセレクタコントローラを備え、
前記間引き指示信号生成回路は、前記切り換え開始信号が前記間引きの終了を指示する場合に、前記間引きをしないことを指示する前記間引き指示信号を生成し、
前記フレーム間引きコントローラは、前記間引き指示信号が前記間引きをしないことを指示する場合に、前記画像メモリから読み出された記憶データを間引かずに出力する請求項１に記載の画像処理装置。
【請求項３】
さらに、前記ソース側デバイスから送信され、前記シンク側デバイスにおいて受信された受信データの中から前記画像データを抽出する画像データ抽出回路と、
前記受信データの中から前記表示期間判別信号を抽出する信号抽出回路とを備え、
前記セレクタコントローラは、さらに、前記表示期間判別信号が前記自己リフレッシュによる画像の表示期間ではないことを表す場合に前記画像データを選択し、前記表示期間判別信号が前記自己リフレッシュによる画像の表示期間であることを表す場合に前記間引き画像データを選択する選択信号を出力し、
さらに、前記選択信号に基づいて、前記画像データまたは前記間引き画像データを出力画像データとして出力する出力画像セレクタを備える請求項２に記載の画像処理装置。
【請求項４】
前記信号抽出回路は、さらに、前記画像データの中から前記部分データを判別する部分データ判別信号、および、前記記憶データを前記部分データに更新する座標を指定する部分データ座標信号を、前記受信データの中から抽出し、
前記メモリコントローラは、さらに、前記自己リフレッシュによる画像の表示期間中に、前記部分データ判別信号に基づいて、前記画像データの中から前記部分データを判別し、前記画像メモリに記憶された記憶データのうち、前記部分データ座標信号に対応する座標の記憶データを前記部分データに書き換える制御を行う請求項３に記載の画像処理装置。
【請求項５】
自己リフレッシュによる画像の表示を開始する際に、１フレーム分の画像データを記憶データとして画像メモリに記憶しておき、前記自己リフレッシュによる画像の表示期間中に、前記記憶データの一部を部分データに更新し、かつ、前記画像メモリから読み出された１フレーム分の記憶データを用いて画像の表示を自己リフレッシュする画像処理装置であって、
前記１フレーム分の画像データを前記画像メモリに順次書き込み、前記記憶データの一部を前記部分データに書き換え、かつ、前記画像メモリから前記１フレーム分の記憶データを順次読み出す制御を行うメモリおよびフレーム間引きコントローラと、
ソース側デバイスとシンク側デバイスとの間の動作タイミングを合わせるために使用する制御データを、前記制御データが前記ソース側デバイスから前記シンク側デバイスへ定期的に送信されてくる毎に更新して保持する制御データ保持回路と、
前記制御データ保持回路に保持された制御データが一定期間更新されていないことを検出した場合に、前記制御データの更新が停止されたことを表す制御データ停止信号を出力する制御データ処理回路と、
前記制御データ停止信号が、前記制御データの更新が停止されたことを表す場合に、前記画像メモリから読み出された記憶データをフレーム単位で間引きすることを指示する間引き指示信号を生成する間引き指示信号生成回路とを備え、
前記メモリおよびフレーム間引きコントローラは、前記間引き指示信号が前記間引きすることを指示する場合、前記自己リフレッシュによる画像の表示期間中に前記間引きされた後のフレームの記憶データだけを前記画像メモリから読み出して間引き画像データとして出力する画像処理装置。
【請求項６】
さらに、前記自己リフレッシュによる画像の表示期間を判別する表示期間判別信号が前記自己リフレッシュによる画像の表示期間ではないことを表す場合に、前記間引きの終了を指示する切り換え開始信号を出力するセレクタコントローラを備え、
前記間引き指示信号生成回路は、前記切り換え開始信号が前記間引きの終了を指示する場合に、前記間引きをしないことを指示する前記間引き指示信号を生成し、
前記メモリおよびフレーム間引きコントローラは、前記間引き指示信号が前記間引きをしないことを指示する場合に、前記記憶データを間引かずに前記画像メモリから読み出す請求項５に記載の画像処理装置。
【請求項７】
さらに、前記ソース側デバイスから送信され、前記シンク側デバイスにおいて受信された受信データの中から前記画像データを抽出する画像データ抽出回路と、
前記受信データの中から前記表示期間判別信号を抽出する信号抽出回路とを備え、
前記セレクタコントローラは、さらに、前記表示期間判別信号が前記自己リフレッシュによる画像の表示期間ではないことを表す場合に前記画像データを選択し、前記表示期間判別信号が前記自己リフレッシュによる画像の表示期間であることを表す場合に前記間引き画像データを選択する選択信号を出力し、
さらに、前記選択信号に基づいて、前記画像データまたは前記間引き画像データを出力画像データとして出力する出力画像セレクタを備える請求項６に記載の画像処理装置。
【請求項８】
前記信号抽出回路は、さらに、前記画像データの中から前記部分データを判別する部分データ判別信号、および、前記記憶データを前記部分データに更新する座標を指定する部分データ座標信号を、前記受信データの中から抽出し、
前記メモリおよびフレーム間引きコントローラは、さらに、前記自己リフレッシュによる画像の表示期間中に、前記部分データ判別信号に基づいて、前記画像データの中から前記部分データを判別し、前記画像メモリに記憶された記憶データのうち、前記部分データ座標信号に対応する座標の記憶データを前記部分データに書き換える制御を行う請求項７に記載の画像処理装置。
【請求項９】
前記間引き指示信号生成回路は、前記間引き指示信号として、１フレーム分の前記記憶データを出力した後、前記記憶データを出力しないフレーム数を指示する信号を生成する請求項１ないし８のいずれか一項に記載の画像処理装置。
【発明の詳細な説明】
【技術分野】
【０００１】
本発明は、ＰＳＲ（Panel Self-Refresh：パネルセルフリフレッシュ）を利用して、画像データに対応する画像を液晶パネル等の画像表示装置に表示する画像処理装置に関する。
【背景技術】
【０００２】
ｅＤＰ（embedded DisplayPort：エンベデッドディスプレイポート）等の画像インタフェイス規格を採用する画像表示装置において用いられる画像処理装置では、静止画を表示する場合に、ソース側デバイスとの間で通信を行うことなく、静止画の１フレーム（１画面）分の画像データを、シンク側デバイスの画像メモリに記憶しておき、画像メモリに記憶された画像データを用いて画面の表示を自己リフレッシュするＰＳＲという機能が実用化されている。
【０００３】
ＰＳＲによる画像の表示期間中は、ソース側デバイスとシンク側デバイスとの間の通信を減らすことができるため、低消費電力化の効果がある。
【０００４】
また、ｅＤＰの規格には、ＰＳＲによる画像の表示期間中に、ソース側デバイスが画像全体のうちの更新する矩形領域のみの画像データを送信し直して選択アップデートを行う、ＰＳＲ２（Panel Self Refresh 2：パネルセルフリフレッシュ２）という機能がある。
【０００５】
ＰＳＲ２を利用すると、ＰＳＲによる画像の表示期間中に、画像メモリに記憶された画像データの一部が選択的に更新されるため、部分的に動画を表示することができる。
【０００６】
また、他の低消費電力化の機能として、画像処理装置には、静止画の表示の時に液晶パネルにおける画像のリフレッシュレートを動画の表示の時よりも減少させる機能がある。リフレッシュレートを減少させるのを静止画の表示の時に限定するのは、リフレッシュレートを動画の表示の時に減少させると、動画の表示がカクカクしてスムーズではなくなるからである。
【０００７】
以下、ＰＳＲおよびＰＳＲ２による画像の表示を行う際の従来の画像処理装置の動作を説明する。
【０００８】
図６は、ＰＳＲによる静止画の表示を行う際の従来の画像処理装置の動作を表す一例のタイミングチャートである。
図６のタイミングチャートに示すように、動画を表示する通常動作期間中、ソース側デバイスからシンク側デバイスへ１フレーム毎に送信されてくる画像データに対応する動画が表示パネルに表示される。
【０００９】
続いて、ＰＳＲによる静止画の表示を開始（ＰＳＲ  Ａｃｔｉｖｅの開始）する際に、１フレーム分の画像データがキャプチャされて画像メモリに記憶される。ＰＳＲによる静止画の表示を開始するフレームでは、ソース側デバイスからシンク側デバイスへ送信されてくる画像データに対応する画像が表示パネルに表示される。ＰＳＲによる静止画の表示期間中（ＰＳＲ  Ａｃｔｉｖｅの期間中）における次のフレームからは、画像メモリから読み出された画像データに対応する静止画が表示パネルに表示される。
【００１０】
ＰＳＲによる画像の表示が終了（ＰＳＲ  Ａｃｔｉｖｅの終了）すると、再び動画を表示する通常動作期間となり、ソース側デバイスからシンク側デバイスへ１フレーム毎に送信されてくる画像データに対応する動画が表示パネルに表示される。
【００１１】
続いて、図７は、ＰＳＲ２による動画の表示を行う際の従来の画像処理装置の動作を表す一例のタイミングチャートである。
図７のタイミングチャートに示すように、ＰＳＲによる静止画の表示期間中（ＰＳＲ  Ａｃｔｉｖｅの期間中）に、ＰＳＲ２による動画の表示を行う場合、ＰＳＲ２による画像の表示用の画像データである部分データがソース側デバイスからシンク側デバイスへ送信され、画像メモリに記憶された画像データの一部が部分データに更新される。これにより、更新された画像データに対応する動画が表示パネルに表示される。
【００１２】
従来の静止画表示のみを行うＰＳＲでは、ＰＳＲ状態が活性化された段階で静止画と判断し、液晶パネルのリフレッシュレートを減少させることができた。一方で部分的な画像データの更新により、動画表示が可能なＰＳＲ２においては、ＰＳＲ状態が活性化された段階では静止画を表示しているのか動画を表示しているのかを判断することが出来ない。このため別の方法で静止画なのか動画なのかを判断する必要がある。
【００１３】
例えば、特許文献１に記載された技術を利用し、現在フレームおよび過去フレームの画像データの内容を比較して動きを検出することによって静止画なのか動画なのかを判断することは可能である。
【００１４】
図８は、従来の画像処理装置の構成を表す一例のブロック図である。図８に示す画像処理装置６０は、シンク側デバイス６２と、複数フレーム分の画像データを記憶する画像メモリ６４とを備えている。
【００１５】
また、シンク側デバイス６２は、入力ＩＦ回路６８と、シリアルパラレル変換回路７０と、画像データ抽出回路７２と、ＰＳＲ信号抽出回路７４と、メモリコントローラ７６と、入出力ＩＦ回路７８と、静止画検出回路８４と、フレーム間引きコントローラ８６と、セレクタコントローラ８８と、出力画像セレクタ９０とを備えている。
【００１６】
画像メモリ６４は、ＰＳＲによる画像の表示を開始する際に、メモリコントローラ７６の制御により、受信した画像データを現在フレームおよび過去フレームの記憶データとして記憶し、差分から静止画か動画を判断する。
【００１７】
シンク側デバイス６２において、入力ＩＦ回路６８は、ソース側デバイス６６から送信されてくるシリアルデータの送信データを受信し、シリアルデータの受信データとして出力する。
【００１８】
続いて、シリアルパラレル変換回路７０は、シリアルデータの受信データをパラレルデータに変換してパラレルデータの受信データを出力する。
【００１９】
続いて、画像データ抽出回路７２は、パラレルデータの受信データの中から画像データを抽出する。
【００２０】
続いて、ＰＳＲ信号抽出回路７４は、ＰＳＲによる画像の表示期間を判別する表示期間判別信号、画像データの中から部分データを判別する部分データ判別信号、および、画像メモリ６４に記憶された記憶データを部分データに更新する座標を指定する部分データ座標信号を、パラレルデータの受信データの中から抽出する。
【００２１】
続いて、メモリコントローラ７６は、表示期間判別信号がＰＳＲによる画像の表示期間であることを表す場合、ＰＳＲによる画像の表示を開始する際に、受信した画像データを画像メモリ６４に順次書き込む制御を行う。
また、メモリコントローラ７６は、ＰＳＲによる画像の表示期間中に、部分データ判別信号に基づいて、画像データの中から部分データを判別し、画像メモリ６４に記憶された現在フレームの記憶データのうち、部分データ座標信号に対応する座標の現在フレームの記憶データを部分データに書き換え、かつ、画像メモリ６４から現在フレームおよび過去フレームの記憶データを順次読み出す制御を行う。
【００２２】
続いて、入出力ＩＦ回路７８は、ソース側デバイス６６およびシンク側デバイス６２の動作を制御するための制御データをソース側デバイス６６とシンク側デバイス６２との間で補助チャネルを介して双方向に送受信する。
【００２３】
続いて、静止画検出回路８４は、ＰＳＲによる画像の表示期間中に、メモリコントローラ７６の制御により画像メモリ６４から読み出された現在フレームおよび過去フレームの記憶データの内容を比較して動きを検出し、その検出結果となる検出信号を出力する。静止画検出回路８４は、動きが検出されない場合に静止画であることを表す検出信号を出力し、動きが検出された場合に動画であることを表す検出信号を出力する。
【００２４】
続いて、フレーム間引きコントローラ８６は、検出信号が静止画であることを表す場合に、ＰＳＲによる画像の表示期間中に画像メモリ６４から読み出された現在フレームの記憶データをフレーム単位で間引いて間引き画像データとして出力する。また、フレーム間引きコントローラ８６は、検出信号が動画であることを表す場合に、画像メモリ６４から読み出された現在フレームの記憶データを間引かずに出力する。
【００２５】
続いて、セレクタコントローラ８８は、表示期間判別信号に基づいて、画像データまたは間引き画像データを選択する選択信号を出力する。セレクタコントローラ８８は、表示期間判別信号がＰＳＲによる画像の表示期間ではないことを表す場合に画像データを選択し、表示期間判別信号がＰＳＲによる画像の表示期間であることを表す場合に間引き画像データを選択する選択信号を出力する。
【００２６】
続いて、出力画像セレクタ９０は、選択信号に基づいて、画像データまたは間引き画像データを出力画像データとして出力する。
【００２７】
しかし、現在フレームおよび過去フレームの画像データの内容を比較して動きを検出する場合、複数フレーム分の画像メモリが必要になるなど大規模な回路が必要となる。また、画像データの通信の有無によって静止画なのか動画なのかを判断することもできるが、画像データの通信は、動画の表示の時も更新データがない部分およびブランキング期間等において頻繁に切断が行われるため、静止画なのか動画なのかを判断するのには不向きである。
【００２８】
本発明に関連性のある先行技術文献として、例えば、特許文献２ないし６がある。
【先行技術文献】
【特許文献】
【００２９】
【特許文献１】特開２０１３−２３５０８３号公報
【特許文献２】特開２０１２−１８２７１号公報
【特許文献３】特開２０１０−１３０７０１号公報
【特許文献４】特開２００３−４４０１１号公報
【特許文献５】特開２００２−３２３８８１号公報
【特許文献６】特開２００２−２２９５４７号公報
【発明の概要】
【発明が解決しようとする課題】
【００３０】
本発明の目的は、自己リフレッシュによる画像の表示期間中に、画像メモリに記憶された記憶データの一部を更新する場合であっても、リフレッシュレートを減少させることができる画像処理装置を提供することにある。
【課題を解決するための手段】
【００３１】
上記目的を達成するために、本発明は、自己リフレッシュによる画像の表示を開始する際に、１フレーム分の画像データを記憶データとして画像メモリに記憶しておき、前記自己リフレッシュによる画像の表示期間中に、前記記憶データの一部を部分データに更新し、かつ、前記画像メモリから読み出された１フレーム分の記憶データを用いて画像の表示を自己リフレッシュする画像処理装置であって、
前記１フレーム分の画像データを前記画像メモリに順次書き込み、前記記憶データの一部を前記部分データに書き換え、かつ、前記画像メモリから前記１フレーム分の記憶データを順次読み出す制御を行うメモリコントローラと、
ソース側デバイスとシンク側デバイスとの間の動作タイミングを合わせるために使用する制御データを、前記制御データが前記ソース側デバイスから前記シンク側デバイスへ定期的に送信されてくる毎に更新して保持する制御データ保持回路と、
前記制御データ保持回路に保持された制御データが一定期間更新されていないことを検出した場合に、前記制御データの更新が停止されたことを表す制御データ停止信号を出力する制御データ処理回路と、
前記制御データ停止信号が、前記制御データの更新が停止されたことを表す場合に、前記画像メモリから読み出された記憶データをフレーム単位で間引きすることを指示する間引き指示信号を生成する間引き指示信号生成回路と、
前記間引き指示信号が前記間引きすることを指示する場合、前記自己リフレッシュによる画像の表示期間中に前記画像メモリから読み出された記憶データをフレーム単位で間引いて間引き画像データとして出力するフレーム間引きコントローラとを備える画像処理装置を提供する。
【００３２】
さらに、前記自己リフレッシュによる画像の表示期間を判別する表示期間判別信号が前記自己リフレッシュによる画像の表示期間ではないことを表す場合に、前記間引きの終了を指示する切り換え開始信号を出力するセレクタコントローラを備え、
前記間引き指示信号生成回路は、前記切り換え開始信号が前記間引きの終了を指示する場合に、前記間引きをしないことを指示する前記間引き指示信号を生成し、
前記フレーム間引きコントローラは、前記間引き指示信号が前記間引きをしないことを指示する場合に、前記画像メモリから読み出された記憶データを間引かずに出力することが好ましい。
【００３３】
さらに、前記ソース側デバイスから送信され、前記シンク側デバイスにおいて受信された受信データの中から前記画像データを抽出する画像データ抽出回路と、
前記受信データの中から前記表示期間判別信号を抽出する信号抽出回路とを備え、
前記セレクタコントローラは、さらに、前記表示期間判別信号が前記自己リフレッシュによる画像の表示期間ではないことを表す場合に前記画像データを選択し、前記表示期間判別信号が前記自己リフレッシュによる画像の表示期間であることを表す場合に前記間引き画像データを選択する選択信号を出力し、
さらに、前記選択信号に基づいて、前記画像データまたは前記間引き画像データを出力画像データとして出力する出力画像セレクタを備えることが好ましい。
【００３４】
前記信号抽出回路は、さらに、前記画像データの中から前記部分データを判別する部分データ判別信号、および、前記記憶データを前記部分データに更新する座標を指定する部分データ座標信号を、前記受信データの中から抽出し、
前記メモリコントローラは、さらに、前記自己リフレッシュによる画像の表示期間中に、前記部分データ判別信号に基づいて、前記画像データの中から前記部分データを判別し、前記画像メモリに記憶された記憶データのうち、前記部分データ座標信号に対応する座標の記憶データを前記部分データに書き換える制御を行うことが好ましい。
【００３５】
また、本発明は、自己リフレッシュによる画像の表示を開始する際に、１フレーム分の画像データを記憶データとして画像メモリに記憶しておき、前記自己リフレッシュによる画像の表示期間中に、前記記憶データの一部を部分データに更新し、かつ、前記画像メモリから読み出された１フレーム分の記憶データを用いて画像の表示を自己リフレッシュする画像処理装置であって、
前記１フレーム分の画像データを前記画像メモリに順次書き込み、前記記憶データの一部を前記部分データに書き換え、かつ、前記画像メモリから前記１フレーム分の記憶データを順次読み出す制御を行うメモリおよびフレーム間引きコントローラと、
ソース側デバイスとシンク側デバイスとの間の動作タイミングを合わせるために使用する制御データを、前記制御データが前記ソース側デバイスから前記シンク側デバイスへ定期的に送信されてくる毎に更新して保持する制御データ保持回路と、
前記制御データ保持回路に保持された制御データが一定期間更新されていないことを検出した場合に、前記制御データの更新が停止されたことを表す制御データ停止信号を出力する制御データ処理回路と、
前記制御データ停止信号が、前記制御データの更新が停止されたことを表す場合に、前記画像メモリから読み出された記憶データをフレーム単位で間引きすることを指示する間引き指示信号を生成する間引き指示信号生成回路とを備え、
前記メモリおよびフレーム間引きコントローラは、前記間引き指示信号が前記間引きすることを指示する場合、前記自己リフレッシュによる画像の表示期間中に前記間引きされた後のフレームの記憶データだけを前記画像メモリから読み出して間引き画像データとして出力する画像処理装置を提供する。
【００３６】
さらに、前記自己リフレッシュによる画像の表示期間を判別する表示期間判別信号が前記自己リフレッシュによる画像の表示期間ではないことを表す場合に、前記間引きの終了を指示する切り換え開始信号を出力するセレクタコントローラを備え、
前記間引き指示信号生成回路は、前記切り換え開始信号が前記間引きの終了を指示する場合に、前記間引きをしないことを指示する前記間引き指示信号を生成し、
前記メモリおよびフレーム間引きコントローラは、前記間引き指示信号が前記間引きをしないことを指示する場合に、前記記憶データを間引かずに前記画像メモリから読み出すことが好ましい。
【００３７】
さらに、前記ソース側デバイスから送信され、前記シンク側デバイスにおいて受信された受信データの中から前記画像データを抽出する画像データ抽出回路と、
前記受信データの中から前記表示期間判別信号を抽出する信号抽出回路とを備え、
前記セレクタコントローラは、さらに、前記表示期間判別信号が前記自己リフレッシュによる画像の表示期間ではないことを表す場合に前記画像データを選択し、前記表示期間判別信号が前記自己リフレッシュによる画像の表示期間であることを表す場合に前記間引き画像データを選択する選択信号を出力し、
さらに、前記選択信号に基づいて、前記画像データまたは前記間引き画像データを出力画像データとして出力する出力画像セレクタを備えることが好ましい。
【００３８】
前記信号抽出回路は、さらに、前記画像データの中から前記部分データを判別する部分データ判別信号、および、前記記憶データを前記部分データに更新する座標を指定する部分データ座標信号を、前記受信データの中から抽出し、
前記メモリおよびフレーム間引きコントローラは、さらに、前記自己リフレッシュによる画像の表示期間中に、前記部分データ判別信号に基づいて、前記画像データの中から前記部分データを判別し、前記画像メモリに記憶された記憶データのうち、前記部分データ座標信号に対応する座標の記憶データを前記部分データに書き換える制御を行うことが好ましい。
【００３９】
また、前記間引き指示信号生成回路は、前記間引き指示信号として、１フレーム分の前記記憶データを出力した後、前記記憶データを出力しないフレーム数を指示する信号を生成することが好ましい。
【発明の効果】
【００４０】
本発明によれば、制御データが一定期間更新されていないことから、自己リフレッシュによる静止画の表示期間中であることを判定し、画像データをフレーム単位で間引くことができる。そのため、自己リフレッシュによる静止画の表示期間中に、動画の表示を行う場合であっても、複数フレームの画像データを記憶する画像メモリ等の大規模な回路を用いることなく、液晶パネルのリフレッシュレートを下げて消費電力を低減することができる。
【００４１】
また、本発明によれば、間引きされた後のフレームの記憶データだけを画像メモリから読み出すことができる。そのため、自己リフレッシュによる画像の表示期間中に、画像データをフレーム単位で間引く場合に、その分の消費電力を削減することができる。
【図面の簡単な説明】
【００４２】
【図１】本発明に係る画像処理装置の構成を表す第１の実施形態のブロック図である。
【図２】ＰＳＲによる画像の表示期間中にフレームの間引きを行う場合の画像処理装置の動作を表す一実施形態のタイミングチャートである。
【図３】ＰＳＲによる静止画の表示期間中に、ＰＳＲ２による動画を表示する場合の画像処理装置の動作を表す一実施形態のタイミングチャートである。
【図４】ＰＳＲ２による動画の表示の後にフレームの間引きを行う場合の画像処理装置の動作を表す一実施形態のタイミングチャートである。
【図５】本発明に係る画像処理装置の構成を表す第２の実施形態のブロック図である。
【図６】ＰＳＲによる静止画の表示を行う際の従来の画像処理装置の動作を表す一例のタイミングチャートである。
【図７】ＰＳＲ２による動画の表示を行う際の従来の画像処理装置の動作を表す一例のタイミングチャートである。
【図８】従来の画像処理装置の構成を表す一例のブロック図である。
【発明を実施するための形態】
【００４３】
以下に、添付の図面に示す好適実施形態に基づいて、本発明の画像処理装置を詳細に説明する。
【００４４】
図１は、本発明に係る画像処理装置の構成を表す第１の実施形態のブロック図である。図１に示す画像処理装置１０は、ＰＳＲおよびＰＳＲ２を利用して、画像データに対応する画像（静止画および動画）を液晶パネル等の画像表示装置に表示するものであり、液晶パネルにおける画像の表示タイミングを制御するタイミングコントローラであるシンク側デバイス１２と、画像メモリ１４とを備えている。
【００４５】
また、シンク側デバイス１２は、入力ＩＦ回路１８と、シリアルパラレル変換回路２０と、画像データ抽出回路２２と、ＰＳＲ信号抽出回路２４と、メモリコントローラ２６と、入出力ＩＦ回路２８と、制御データ保持回路３０と、ＧＴＣ処理回路３２と、間引き指示信号生成回路３４と、フレーム間引きコントローラ３６と、セレクタコントローラ３８と、出力画像セレクタ４０とを備えている。
【００４６】
シンク側デバイス１２は、メインリンクおよび補助チャネルを介してソース側デバイス１６と接続されている。ソース側デバイス１６およびシンク側デバイス１２は、ｅＤＰの規格における画像データの送信側および受信側のデバイスである。
【００４７】
メインリンクは、画像データおよびＰＳＲによる画像の表示を制御するための制御信号等をソース側デバイス１６からシンク側デバイス１２へパケット化されたシリアルデータとして送信するためのチャネルである。補助チャネルは、ソース側デバイス１６およびシンク側デバイス１２の動作を制御するための制御データを両者の間で双方向にパケット化されたシリアルデータとして送受信するためのチャネルである。
【００４８】
画像処理装置１０は、液晶パネル等において、自己リフレッシュによる画像の表示を開始する際に、１フレーム分の画像データを記憶データとして画像メモリ１４に記憶しておき、自己リフレッシュによる画像（静止画）の表示期間中に、画像メモリ１４に記憶された記憶データの一部を部分データに更新し、かつ、画像メモリ１４から読み出された１フレーム分の記憶データを用いて画像の表示を自己リフレッシュする。
【００４９】
画像メモリ１４は、メモリコントローラ２６と双方向に接続されている。
画像メモリ１４は、ＰＳＲによる画像の表示を開始する際に、メモリコントローラ２６の制御により、１フレーム分の画像データを記憶データとして記憶する。
【００５０】
シンク側デバイス１２において、入力ＩＦ回路１８は、メインリンクを介してソース側デバイス１６と接続されている。
入力ＩＦ回路１８は、ソース側デバイス１６から送信されてくるシリアルデータの送信データを受信し、シリアルデータの受信データとして出力する。
【００５１】
続いて、シリアルパラレル変換回路２０には、入力ＩＦ回路１８からシリアルデータの受信データが入力される。
シリアルパラレル変換回路２０は、シリアルデータの受信データをパラレルデータに変換してパラレルデータの受信データを出力する。
【００５２】
続いて、画像データ抽出回路２２には、シリアルパラレル変換回路２０からパラレルデータの受信データが入力される。
画像データ抽出回路２２は、パラレルデータの受信データの中から画像データを抽出する。
【００５３】
続いて、ＰＳＲ信号抽出回路（本発明の信号抽出回路）２４には、シリアルパラレル変換回路２０からパラレルデータの受信データが入力される。
ＰＳＲ信号抽出回路２４は、ＰＳＲによる画像の表示期間を判別する表示期間判別信号、画像データの中から部分データを判別する部分データ判別信号、および、画像メモリ１４に記憶された記憶データを部分データに更新する座標を指定する部分データ座標信号を、パラレルデータの受信データの中から抽出する。
【００５４】
続いて、メモリコントローラ２６には、画像データ抽出回路２２から画像データが入力され、ＰＳＲ信号抽出回路２４から表示期間判別信号、部分データ判別信号および部分データ座標信号が入力される。また、メモリコントローラ２６は、画像メモリ１４と双方向に接続されている。
メモリコントローラ２６は、表示期間判別信号がＰＳＲによる画像の表示期間であることを表す場合、ＰＳＲによる画像の表示を開始する際に、１フレーム分の画像データを画像メモリ１４に順次書き込む制御を行う。
また、メモリコントローラ２６は、ＰＳＲによる画像の表示期間中に、部分データ判別信号に基づいて、画像データの中から部分データを判別し、画像メモリ１４に記憶された１フレームの記憶データのうち、部分データ座標信号に対応する座標の記憶データ、つまり、一部の記憶データを部分データに書き換え、かつ、画像メモリ１４から１フレーム分の記憶データを順次読み出す制御を行う。
【００５５】
続いて、入出力ＩＦ回路２８は、補助チャネルを介してソース側デバイス１６と双方向に接続されている。
入出力ＩＦ回路２８は、制御データをソース側デバイス１６とシンク側デバイス１２との間で補助チャネルを介して双方向に送受信する。
入出力ＩＦ回路２８は、本実施形態の場合、ソース側デバイス１６から送信されてくる制御データとして、ソース側デバイスのＧＴＣ（Global Time Code：グローバルタイムコード）（Ｔｘ  ＧＴＣ）を受信する。
【００５６】
ソース側デバイス１６およびシンク側デバイス１２は、両者の間の動作タイミングを合わせる（同期を取る）ためのタイムコードを生成するタイムコード生成回路を備えている。Ｔｘ  ＧＴＣは、ソース側デバイス１６とシンク側デバイス１２との間の動作タイミングを合わせるために使用する制御データであり、ソース側デバイスのタイムコード生成回路によって生成されたタイムコードを持つ。Ｔｘ  ＧＴＣは、ソース側デバイス１６からシンク側デバイス１２へ画像データが送信される期間において、ソース側デバイス１６からシンク側デバイス１２へ定期的に、例えば、１フレーム毎に１回ずつ送信される。
【００５７】
続いて、制御データ保持回路３０は、入出力ＩＦ回路２８およびＧＴＣ処理回路３２と双方向に接続されている。制御データ保持回路３０には、入出力ＩＦ回路２８からＴｘ  ＧＴＣ等の制御データが入力され、ＧＴＣ処理回路３２からシンク側デバイスのＧＴＣ（Ｒｘ  ＧＴＣ）が入力される。
制御データ保持回路３０は、Ｔｘ  ＧＴＣおよびＲｘ  ＧＴＣ等の制御データを保持する。制御データ保持回路３０に保持されたＴｘ  ＧＴＣは、ソース側デバイス１６からシンク側デバイス１２へ画像データが送信される期間において、１フレーム毎に１回ずつ、ソース側デバイス１６からシンク側デバイス１２へ定期的に送信されてくる毎に更新して保持される。
【００５８】
制御データ保持回路３０は、ｅＤＰの規格において、ＤＰＣＤ (DisplayPort Configuration Data)のレジスタ等としてあらかじめ用意されているものを利用することができる。
【００５９】
続いて、ＧＴＣ処理回路（本発明の制御データ処理回路）３２は、制御データ保持回路３０と双方向に接続されている。
ＧＴＣ処理回路３２は、制御データ保持回路３０に保持されたＴｘ  ＧＴＣが定期的に更新されていることを検出した場合に、Ｔｘ  ＧＴＣが定期的に更新されていることを表すＴｘ  ＧＴＣ停止信号（本発明の制御データ停止信号）として、ハイレベルのパルスは出力せず、制御データ保持回路３０に保持されたＴｘ  ＧＴＣが一定期間更新されていない、つまり、１フレーム毎に１回ずつ、定期的に送信されてくる毎に更新されるＴｘ  ＧＴＣが、１フレームの期間を超える一定期間更新されていないことを検出した場合に、Ｔｘ  ＧＴＣの更新が停止されたことを表すＴｘ  ＧＴＣ停止信号として、ハイレベルのパルスを出力する。
また、ＧＴＣ処理回路３２は、定期的に、例えば、１フレーム毎に１回ずつ、Ｒｘ  ＧＴＣを制御データ保持回路３０に書き込む。つまり、制御データ保持回路３０に保持されたＲｘ  ＧＴＣは、ＧＴＣ処理回路３２によって書き込まれる毎に更新して保持される。制御データ保持回路３０に保持されたＲｘ  ＧＴＣは、ソース側デバイス１６によって参照される。
【００６０】
続いて、間引き指示信号生成回路３４には、ＧＴＣ処理回路３２からＴｘ  ＧＴＣ停止信号が入力され、セレクタコントローラ３８から切り換え開始信号が入力される。
間引き指示信号生成回路３４は、Ｔｘ  ＧＴＣ停止信号が、Ｔｘ  ＧＴＣの更新が停止されたことを表す場合、即ちハイレベルのパルスが出力された場合に、画像メモリ１４から読み出された記憶データをフレーム単位で間引きすることを指示する間引き指示信号を生成し、かつ、切り換え開始信号が、間引きの終了を指示する場合、即ちハイレベルのパルスを出力する場合に、間引きをしないことを指示する間引き指示信号を生成する。
【００６１】
間引き指示信号生成回路３４は、間引き指示信号として、例えば、１フレーム分の記憶データを出力した後、記憶データを出力しないフレーム数を指示する信号を生成する。通常、６０Ｈｚのリフレッシュレートの場合、例えば、１フレーム分の記憶データを出力した後、１フレーム分の記憶データを出力しない場合、リフレッシュレートは３０Ｈｚとなる。
【００６２】
続いて、フレーム間引きコントローラ３６には、間引き指示信号生成回路３４から間引き指示信号が入力され、メモリコントローラ２６から記憶データが入力される。
フレーム間引きコントローラ３６は、間引き指示信号が間引きすることを指示する場合、ＰＳＲによる画像の表示期間中に画像メモリ１４から読み出された記憶データをフレーム単位で間引いて間引き画像データとして出力し、間引き指示信号が間引きをしないことを指示する場合に、画像メモリ１４から読み出された記憶データを間引かずに出力する。
【００６３】
続いて、セレクタコントローラ３８には、ＰＳＲ信号抽出回路２４から表示期間判別信号が入力される。
セレクタコントローラ３８は、表示期間判別信号に基づいて、画像データまたは間引き画像データを選択する選択信号、および、間引きの終了を指示する切り換え開始信号、即ちハイレベルのパルスを出力する。
【００６４】
セレクタコントローラ３８は、表示期間判別信号がＰＳＲによる画像の表示期間ではないことを表す場合に画像データを選択し、表示期間判別信号がＰＳＲによる画像の表示期間であることを表す場合に間引き画像データを選択する選択信号を出力する。また、表示期間判別信号がＰＳＲによる画像の表示期間ではないことを表す場合に、間引きの終了を指示する切り換え開始信号、即ちハイレベルのパルスを出力する。
【００６５】
続いて、出力画像セレクタ４０には、画像データ抽出回路２２から画像データが入力され、フレーム間引きコントローラ３６から間引き画像データが入力され、セレクタコントローラ３８から選択信号が入力される。
出力画像セレクタ４０は、選択信号に基づいて、画像データまたは間引き画像データを出力画像データとして出力する。
【００６６】
次に、画像処理装置１０の動作を説明する。
まず、図２のタイミングチャートを参照して、ＰＳＲによる画像の表示期間中にフレームの間引きを行う場合の画像処理装置１０の動作を説明する。
【００６７】
図２のタイミングチャートに示すように、動画を表示する通常動作期間中、画像データおよび制御信号等を含む画像フレームがソース側デバイス１６からシンク側デバイス１２へシリアルデータの送信データとして１フレーム毎に送信される。
【００６８】
通常動作期間中の各フレームにおいて、入力ＩＦ回路１８は、ソース側デバイス１６から送信されてくるシリアルデータの送信データを受信し、シリアルデータの受信データとして出力する。
【００６９】
続いて、シリアルパラレル変換回路２０は、シリアルデータの受信データをパラレルデータに変換してパラレルデータの受信データを出力する。
【００７０】
続いて、画像データ抽出回路２２は、パラレルデータの受信データの中から画像データを抽出する。また、ＰＳＲ信号抽出回路２４は、パラレルデータの受信データの中から、表示期間判別信号、部分データ判別信号および部分データ座標信号を抽出する。ＰＳＲ信号抽出回路２４は、本実施形態の場合、通常動作期間中において、表示期間判別信号として、ローレベルを出力する。
【００７１】
メモリコントローラ２６は、表示期間判別信号がローレベルの場合には動作しない。つまり、画像メモリ１４への画像データの書き込みも、画像メモリ１４から記憶データの読み出しも行わない。
【００７２】
また、通常動作期間中において、制御データとして、Ｔｘ  ＧＴＣがソース側デバイス１６からシンク側デバイス１２へ１フレーム毎に送信される。
【００７３】
入出力ＩＦ回路２８は、ソース側デバイス１６から送信されてくるＴｘ  ＧＴＣを受信する。Ｔｘ  ＧＴＣは、制御データ保持回路３０に保持される。
【００７４】
続いて、ＧＴＣ処理回路３２は、Ｔｘ  ＧＴＣが定期的に更新されていることを検出し、Ｔｘ  ＧＴＣ停止信号として、ハイレベルのパルスは出力しない。
また、セレクタコントローラ３８は、表示期間判別信号がローレベルの場合、選択信号として、ローレベルを出力し、切り換え開始信号として、ハイレベルのパルスは出力しない。
【００７５】
続いて、間引き指示信号生成回路３４は、Ｔｘ  ＧＴＣ停止信号および切り換え開始信号がハイレベルのパルスを出力しない場合、間引き指示信号として、ローレベルを出力する。
【００７６】
通常動作期間中は、前述のように、メモリコントローラ２６が動作しないため、フレーム間引きコントローラ３６も動作しない。
【００７７】
続いて、出力画像セレクタ４０は、選択信号がローレベルの場合、画像データ抽出回路２２から入力された画像データを出力画像データとして出力する。
【００７８】
このように、通常動作期間中は、ソース側デバイス１６から送信されてくる画像データが出力画像データとして出力される。
【００７９】
続いて、ＰＳＲによる画像の表示を開始する際に、ＰＳＲ信号抽出回路２４は、表示期間判別信号として、ハイレベルを出力する。
【００８０】
メモリコントローラ２６は、表示期間判別信号がハイレベルになると、画像データ抽出回路２２から入力される１フレーム分の画像データを画像メモリ１４に順次書き込む。これにより、１フレーム分の画像データがキャプチャされて画像メモリ１４に記憶される。
【００８１】
出力画像セレクタ４０は、選択信号がローレベルであることから、ＰＳＲによる画像の表示を開始するフレームにおいて、画像データ抽出回路２２から入力された画像データを出力画像データとして出力する。
【００８２】
続いて、ＰＳＲによる画像の表示期間中、ソース側デバイス１６は、画像データおよび制御信号等を含む画像フレームの送信を停止する。
【００８３】
ＰＳＲによる画像の表示期間中、メモリコントローラ２６は、画像メモリ１４から１フレーム分の記憶データを順次読み出す。
【００８４】
続いて、フレーム間引きコントローラ３６は、間引き指示信号がローレベルであることから、メモリコントローラ２６の制御により画像メモリ１４から読み出された記憶データを間引かずに間引き画像データとして出力する。
【００８５】
セレクタコントローラ３８は、表示期間判別信号がハイレベルになると、その次のフレームにおいて、選択信号として、ハイレベルを出力する。
【００８６】
続いて、出力画像セレクタ４０は、選択信号がハイレベルになると、間引き画像データを出力画像データとして出力する。
【００８７】
このように、ＰＳＲによる画像の表示期間中は、画像メモリ１４から読み出された記憶データに対応する静止画が表示パネルに表示される。
【００８８】
ソース側デバイス１６は、一定期間、画像メモリ１４に記憶された記憶データを部分データに更新する必要がなくなった場合、完全な休止状態に入り、Ｔｘ  ＧＴＣの送信を停止する。
【００８９】
ソース側デバイス１６からシンク側デバイス１２へ定期的に送信されてくるＴｘ  ＧＴＣの送信が停止されている期間、ソース側デバイス１６は休止状態にあるため、ソース側デバイス１６とシンク側デバイス１２との間の動作タイミングを合わせる必要はない。両者の間の動作タイミングは、ソース側デバイス１６が休止状態から復帰し、ＰＳＲによる画像の表示期間が終了して通常動作に戻った後に合わせられる。
【００９０】
Ｔｘ  ＧＴＣの更新が停止されると、ＧＴＣ処理回路３２は、Ｔｘ  ＧＴＣが一定期間更新されていないことを検出し、Ｔｘ  ＧＴＣ停止信号として、ハイレベルのパルスを出力する。
【００９１】
続いて、間引き指示信号生成回路３４は、Ｔｘ  ＧＴＣ停止信号としてハイレベルのパルスが出力されると、間引き指示信号として、ハイレベルを出力する。
【００９２】
続いて、フレーム間引きコントローラ３６は、間引き指示信号がハイレベルになると、本実施形態の場合、メモリコントローラ２６の制御により画像メモリ１４から読み出された記憶データを２フレーム毎に１フレームずつ間引いて間引き画像データとして出力する。
【００９３】
続いて、出力画像セレクタ４０は、選択信号がハイレベルであることから、間引き画像データを出力画像データとして出力する。
【００９４】
このように、画像処理装置１０は、Ｔｘ  ＧＴＣが一定期間更新されていないことから、ＰＳＲによる静止画の表示期間中であることを判定し、画像データをフレーム単位で間引くことができる。そのため、ＰＳＲによる静止画の表示期間中に、ＰＳＲ２による動画の表示を行う場合であっても、複数フレームの画像データを記憶する画像メモリ等の大規模な回路を用いることなく、液晶パネルのリフレッシュレートを下げて消費電力を低減することができる。
【００９５】
続いて、ＰＳＲによる画像の表示を終了する場合、画像データおよび制御信号等の送信が再開される。また、ＰＳＲ信号抽出回路２４は、表示期間判別信号として、ローレベルを出力する。
【００９６】
続いて、セレクタコントローラ３８は、表示期間判別信号がローレベルになると、切り換え開始信号として、ハイレベルのパルスを、間引き指示信号生成回路３４に出力する。
【００９７】
続いて、間引き指示信号生成回路３４は、切り換え開始信号としてハイレベルのパルスが出力されると、間引き指示信号として、ローレベルを出力する。
【００９８】
続いて、フレーム間引きコントローラ３６は、間引き指示信号がローレベルになると、メモリコントローラ２６の制御により画像メモリ１４から読み出された記憶データをフレーム単位で間引かずに間引き画像データとして出力する。
これにより、記憶データの間引きが終了し、液晶パネルのリフレッシュレートの減少は停止され、元のリフレッシュレートに戻る。
【００９９】
続いて、出力画像セレクタ４０は、選択信号がハイレベルであることから、間引き画像データを出力画像データとして出力する。
【０１００】
また、セレクタコントローラ３８は、表示期間判別信号がローレベルになると、その次のフレームにおいて、選択信号として、ローレベルを出力する。
【０１０１】
続いて、出力画像セレクタ４０は、選択信号がローレベルになると、画像データ抽出回路２２から入力された画像データを出力画像データとして出力する。
【０１０２】
次に、図３のタイミングチャートを参照して、ＰＳＲによる静止画の表示期間中に、ＰＳＲ２による動画を表示する場合の画像処理装置１０の動作を説明する。
【０１０３】
図２のタイミングチャートにおいては省略しているが、図３のタイミングチャートに示すように、ＰＳＲによる画像の表示を開始する際には、ソース側デバイスからシンク側デバイスにＰＳＲによる画像の表示の開始を指示する制御信号（ＰＳＲ開始）が送信される。
【０１０４】
ＰＳＲ信号抽出回路２４は、ＰＳＲによる画像の表示の開始を指示する制御信号（ＰＳＲ開始）が受信されると、前述のように、表示期間判別信号として、ハイレベルを出力する。これ以後、ＰＳＲによる画像の表示期間となるまでの動作は、図２の場合と同様である。
【０１０５】
続いて、ＰＳＲによる静止画の表示期間中に、ＰＳＲ２による動画を表示する場合、ソース側デバイスからシンク側デバイスに画像データの選択アップデートの開始を指示する制御信号（ＰＳＲ２開始）が送信される。
【０１０６】
続いて、ＰＳＲ信号抽出回路２４は、選択アップデートの開始を指示する制御信号が受信されると、選択アップデートの開始を表す部分データ判別信号として、ハイレベルのパルスを出力する。
【０１０７】
続いて、ソース側デバイスからシンク側デバイスに部分データおよび部分データ座標信号が送信される。
【０１０８】
続いて、ＰＳＲ信号抽出回路２４は、パラレルデータの受信データの中から部分データ座標信号を抽出する。
【０１０９】
続いて、メモリコントローラ２６は、選択アップデートの開始を表す、ハイレベルのパルスである、部分データ判別信号に基づいて、画像データの中から部分データを判別し、画像メモリ１４に記憶された１フレームの記憶データのうち、部分データ座標信号に対応する座標の記憶データを部分データに書き換える。図３のタイミングチャートに示すように、更新された記憶データは、次のフレームにおいて画像メモリ１４から出力され、その結果、部分動画が表示される。
【０１１０】
続いて、ＰＳＲ２による動画の表示を終了する場合、ソース側デバイスからシンク側デバイスに画像データの選択アップデートの終了を指示する制御信号（ＰＳＲ２終了）が送信される。
【０１１１】
続いて、ＰＳＲ信号抽出回路２４は、選択アップデートの終了を指示する制御信号が受信されると、選択アップデートの終了を表す部分データ判別信号として、ハイレベルのパルスを出力する。
【０１１２】
続いて、メモリコントローラ２６は、選択アップデートの終了を表す、ハイレベルのパルスである、部分データ判別信号に基づいて、部分データへの書き換えを終了する。
【０１１３】
続いて、ＰＳＲによる画像の表示を終了する際には、ソース側デバイスからシンク側デバイスにＰＳＲによる画像の表示の終了を指示する制御信号（ＰＳＲ終了）が送信される。
【０１１４】
ＰＳＲ信号抽出回路２４は、ＰＳＲによる画像の表示の終了を指示する制御信号が受信されると、前述のように、表示期間判別信号として、ローレベルを出力する。これ以後、通常動作に戻るまでの動作は、図２の場合と同様である。
【０１１５】
次に、図４のタイミングチャートを参照して、ＰＳＲ２による動画の表示の後にフレームの間引きを行う場合の画像処理装置１０の動作を説明する。
【０１１６】
図４のタイミングチャートにおいて、画像メモリ１４に記憶された記憶データが部分データに書き換えられ、次のフレームにおいて画像メモリ１４から更新された記憶データが出力される（画像フレーム（１）〜（４））までの動作は、図３の場合と同様である。
【０１１７】
続いて、一定期間、記憶データを部分データに更新する必要がない場合、Ｔｘ  ＧＴＣの送信が停止される。
【０１１８】
Ｔｘ  ＧＴＣの更新が停止されると、ＧＴＣ処理回路３２は、前述のように、Ｔｘ  ＧＴＣ停止信号として、ハイレベルのパルスを出力する。これ以後、画像データをフレーム単位で間引いて出力する（画像フレーム（６）〜（９））までの動作は、図２の場合と同様である。
【０１１９】
続いて、ＰＳＲによる画像の表示を終了する際には、ソース側デバイスからシンク側デバイスにＰＳＲによる画像の表示の終了を指示する制御信号（ＰＳＲ終了）が送信される。
【０１２０】
ＰＳＲ信号抽出回路２４は、ＰＳＲによる画像の表示の終了を指示する制御信号が受信されると、前述のように、表示期間判別信号として、ローレベルを出力する。
【０１２１】
続いて、セレクタコントローラ３８は、表示期間判別信号がローレベルになると、切り換え開始信号として、ハイレベルのパルスを出力する。
【０１２２】
続いて、間引き指示信号生成回路３４は、切り換え開始信号としてハイレベルのパルスが出力されると、間引き指示信号として、ローレベルを出力する。これ以後、通常動作に戻るまでの動作は、図３の場合と同様である。
【０１２３】
なお、各信号の極性、信号がレベルなのかパルスなのか等は実施形態のものに限らず、適宜変更してもよい。
【０１２４】
次に、図５は、本発明に係る画像処理装置の構成を表す第２の実施形態のブロック図である。図５に示す画像処理装置５０は、シンク側デバイス５２と、画像メモリ１４とを備えている。
【０１２５】
また、シンク側デバイス５２は、入力ＩＦ回路１８と、シリアルパラレル変換回路２０と、画像データ抽出回路２２と、ＰＳＲ信号抽出回路２４と、入出力ＩＦ回路２８と、制御データ保持回路３０と、ＧＴＣ処理回路３２と、間引き指示信号生成回路３４と、メモリおよびフレーム間引きコントローラ５４と、セレクタコントローラ３８と、出力画像セレクタ４０とを備えている。
【０１２６】
メモリおよびフレーム間引きコントローラ５４以外の構成要素は、図１に示すものと同じであり、その動作も同様であるから、同一の構成要素に同一の符号を付してその詳細な説明を省略する。
【０１２７】
画像メモリ１４は、メモリおよびフレーム間引きコントローラ５４と双方向に接続されている。
画像メモリ１４は、ＰＳＲによる画像の表示を開始する際に、メモリおよびフレーム間引きコントローラ５４の制御により、１フレーム分の画像データを記憶データとして記憶する。
【０１２８】
シンク側デバイス５２において、メモリおよびフレーム間引きコントローラ５４には、画像データ抽出回路２２から画像データが入力され、ＰＳＲ信号抽出回路２４から表示期間判別信号、部分データ判別信号および部分データ座標信号が入力され、間引き指示信号生成回路３４から間引き指示信号が入力される。また、メモリおよびフレーム間引きコントローラ５４は、画像メモリ１４と双方向に接続されている。
メモリおよびフレーム間引きコントローラ５４は、表示期間判別信号がＰＳＲによる画像の表示期間であることを表す場合、ＰＳＲによる画像の表示を開始する際に、１フレーム分の画像データを画像メモリ１４に順次書き込む制御を行う。
また、メモリおよびフレーム間引きコントローラ５４は、ＰＳＲによる画像の表示期間中に、部分データ判別信号に基づいて、画像データの中から部分データを判別し、画像メモリ１４に記憶された１フレームの記憶データのうち、部分データ座標信号に対応する座標の記憶データを部分データに書き換え、かつ、画像メモリ１４から１フレーム分の記憶データを順次読み出す制御を行う。
さらに、メモリおよびフレーム間引きコントローラ５４は、間引き指示信号が間引きすることを指示する場合、ＰＳＲによる画像の表示期間中に、間引きされた後のフレームの記憶データだけを画像メモリ１４から読み出して間引き画像データとして出力し、間引き指示信号が間引きをしないことを指示する場合に、記憶データを間引かずに画像メモリ１４から読み出す。
【０１２９】
図１に示す画像処理装置１０では、フレーム間引きコントローラ３６が画像データをフレーム単位で間引く場合であっても、メモリコントローラ２６は、ＰＳＲによる画像の表示期間中に、画像メモリ１４から１フレーム分の記憶データを順次読み出す。言い換えると、メモリコントローラ２６は、フレーム間引きコントローラ３６によって間引きが行われるフレームの記憶データを画像メモリ１４から読み出す。
【０１３０】
これに対し、図５に示す画像処理装置５０では、メモリおよびフレーム間引きコントローラ５４は、間引き指示信号に基づいて、間引きされた後のフレームの記憶データだけを画像メモリ１４から読み出して間引き画像データとして出力する。言い換えると、メモリおよびフレーム間引きコントローラ５４は、間引きされるフレームの記憶データを画像メモリ１４から読み出さない。
【０１３１】
このように、画像処理装置５０は、間引きされた後のフレームの記憶データだけを画像メモリ１４から読み出すことができる。そのため、ＰＳＲによる画像の表示期間中に、画像データをフレーム単位で間引く場合に、その分の消費電力を削減することができる。
【０１３２】
以上、本発明について詳細に説明したが、本発明は上記実施形態に限定されず、本発明の主旨を逸脱しない範囲において、種々の改良や変更をしてもよいのはもちろんである。
【符号の説明】
【０１３３】
１０、５０、６０  画像処理装置
１２、５２、６２  シンク側デバイス
１４、６４  画像メモリ
１６、６６  ソース側デバイス
１８、６８  入力ＩＦ回路
２０、７０  シリアルパラレル変換回路
２２、７２  画像データ抽出回路
２４、７４  ＰＳＲ信号抽出回路
２６、７６  メモリコントローラ
２８、７８  入出力ＩＦ回路
３０  制御データ保持回路
３２  ＧＴＣ処理回路
３４  間引き指示信号生成回路
３６、８６  フレーム間引きコントローラ
３８、８８  セレクタコントローラ
４０、９０  出力画像セレクタ
５４  メモリおよびフレーム間引きコントローラ
８４  静止画検出回路
【図１】
2018173485.tif 000003
【図２】
2018173485.tif 000004
【図３】
2018173485.tif 000005
【図４】
2018173485.tif 000006
【図５】
2018173485.tif 000007
【図６】
2018173485.tif 000008
【図７】
2018173485.tif 000009
【図８】
2018173485.tif 000010